(57)【特許請求の範囲】
【請求項１】
ログハウス、すなわち直線状に製材された木材を水平に向けた状態で垂直方向に交互に積み重ねることにより壁面を構成する形式の建築物において、まず、壁面の構成要素となる木材を奇数番木材と偶数番木材とに分類したうえで、
イ）最初に基礎を建築する。この基礎は、壁面を構成する木材をその上に直接あるいは間接的に水平に配置しうる形状を持ち、かつその木材を配置する位置よりも相対的に低い凹部とを有するものとする。
ロ）偶数番木材が載るべき部分の基礎の凹部に偶数番木材用ジャッキを、そして奇数番木材が載るべき部分の基礎の凹部に奇数番木材用ジャッキを設置する。偶数番木材用ジャッキと奇数番木材用ジャッキは、少なくとも独立して上昇下降を制御できるか、あるいは前者が上昇するとき後者が下降、また前者が下降するとき後者が上昇というように交互に動作するよう制御できる。
ハ）次に、基礎の上に屋根部分を建築する。
ニ）偶数番木材用ジャッキを上げ、屋根部分を基礎から分離させる。あらかじめジャッキが上昇している上に屋根部分を建築したりあるいは載せた場合は、この限りではない。
ホ）奇数番木材用ジャッキを下げる。
ヘ）基礎あるいは下げたジャッキの上に奇数番木材を載せる。
ト）偶数番木材用ジャッキを下げる。
チ）奇数番木材用ジャッキを上げる。
リ）基礎あるいは下げたジャッキの上に偶数番木材を載せる。
ヌ）奇数番木材用ジャッキを下げる。
ル）偶数番木材用ジャッキを上げる。
ヲ）以下、「ヘ」から「ル」の工程を必要回数繰り返すことにより、木材を順次下から積み重ねる。
ワ）積み上げが終了した後、後工程を行う。
カ）上記「ロ」と「ハ」の工程は順番を入れ替えても良い。
ヨ）「ト」と「チ」の工程は順番を入れ替えても良く、「ヌ」と「ル」の工程も順番を入れ替えても良い。
以上「イ」から「ヨ」を特徴とするログハウス建築法。
【発明の詳細な説明】
【０００１】
【発明の属する技術分野】
本発明は、ログハウスの建築方法に関するものである。
【０００２】
【従来の技術】
従来より、ログハウスというものは、基礎の上に下から上へと順に木材を交互に積み上げ、壁面を構成した後に、屋根部分を作るのが一般的な工程の順番であった。しかしながら、この従来の方法では、足場を組む作業、クレーン作業、および高所作業などが必要となるため、危険が伴い、工期も短縮しにくかった。
【０００３】
【発明が解決しようとする課題】
本発明は、このようなログハウスの建築方法を抜本的に改革し、上記のような短所を改善しようとするものである。すなわち、作業の安全確保と工期の短縮を目的とする。
【０００４】
【課題を解決するための手段】
説明に先立ち、本発明で議論するログハウスというものの定義が必要となる。本発明においては、以下Ａ、Ｂ、Ｃの特徴を有する建築物をログハウスと定義する。
Ａ）木材を水平に向けた状態で垂直方向に平行に積み重ねることにより壁面を構成する。
Ｂ）Ａのごとく積み重ねられた壁面は複数存在し、それらの内、建物の外周となる壁面は、平面図において偶数の辺を有する概ね多角形を呈する。
Ｃ）その偶数の辺の任意の一辺を起点としてそれに接する辺を順に数えたとき、奇数番目に位置する木材と偶数番目に位置する木材とは交互に積み重ねられる。
【０００５】
図１は、一般的なログハウスの木材の組み合わせ方をわかりやすく図示したものである。この図では、外周壁面は概ね四角形を呈しており、上記Ｂの条件に合致している。図１で用いられている「奇数番木材」、「偶数番木材」、「Ｘ方向木材」および「Ｙ方向木材」という用語については、以下の文章で詳説する。
【０００６】
上記の条件Ｃで、奇数番目に位置する木材と偶数番目に位置する木材について言及したが、それを補足説明するために図２と図３を用いる。これらは建物の任意の水平面における略断面図である。図２は四角形の外形を有する例であり、図３は六角形の外形を有する例である。多角形の辺の数を数えはじめる起点は任意である。その起点を一として数え始め、順次接する各辺に番号を付してゆく。図２と図３中、漢数字で示した番号は、こうして付した番号である。こうして奇数を付された壁面を構成する木材を奇数番木材と定義し、偶数を付された壁面を構成する木材を偶数番木材と定義する。尚、壁面はなにも外周のみでなく建物内部にも存在しうる。したがって、外壁の辺の数は偶数であるが、壁面の数は、その配置によっては奇数である場合も有り得る。図３はまさにその例である。このように建物内部に壁面が存在したり、あるいはその壁面の数が奇数であるような場合でも、起点となる壁面に接した順に番号を付すことができる。一部、外壁面とまったく接しない建物内部の壁面が存在する場合もあるが、そのような場合は、また任意の壁面を起点として同様に番号を付せばよい。そうすることにより、すべての壁面は奇数番と偶数番に分けることができる。こうして奇数番を付された木材を奇数番木材、偶数を付された木材を偶数番木材と呼ぶ。請求項で述べている「奇数番木材」と「偶数番木材」という用語の定義はこれに倣っている。
【０００７】
奇数番木材と偶数番木材は、それぞれ、交互に組み合わされるべきものである。つまり、こうして木材を二種類に分類した理由は、それぞれが別の工程でひとまとめに扱われるためである。
【０００８】
以下、説明を簡素化する都合上、もっとも単純なケースを例として取り上げる。すなわち、その外壁が四角形を呈し、建物内部には壁面を持たないというものである。しかしながら、四角形以外の偶数辺を有する多角形にも応用が利くことは言うまでもない。この例では、辺が互いに直角に交わっているため、それを二次元の座標軸になぞらえ、奇数番木材をＸ方向木材、偶数番木材をＹ方向木材と呼ぶことにする。図１に示した用語は、こうして決定されたものである。
【０００９】
本発明は、「ログハウスは木材を下から上に積み上げて作るもの」というこれまでの常識を根底からくつがえすものである。すなわち、本発明による建築法では、第一に基礎、第二に屋根部分、第三に壁面の順に建築し、しかも、その壁面を構成する際には、基礎の上、かつ屋根部分の下に挿入した木材を、ジャッキを用いて上へと持ち上げ、順次その下に新たな木材を挿入するという方式をとる。つまり、壁面に関しては「上に来るべき木材から先に積む」のである。
【発明の実施の形態】
以下、本発明によるログハウスの建築法を図を用いて説明する。
【００１０】
まず、図４に示すように、ログハウスを建設すべき地面に、コンクリートや煉瓦などを用いて基礎１を作る。この基礎は、壁面を構成する多角形に沿った多角形の外形を呈する。多角形のそれぞれの辺には凹部２を有する。
【００１１】
この基礎の複数の凹部あるいはその付近に、図５に示すように、Ｘ方向用ジャッキ４とＹ方向用ジャッキ５を設ける。この例では角が直角である四角形を対象としているので、辺ならびに辺に設置されたジャッキもＸとＹに分類できるが、一般的な多角形の外壁およびその内壁であれば、上記のように奇数番と偶数番の二群に分類されるため、そのためのジャッキも奇数番と偶数番に分類することができる。請求項ではこれを「奇数番木材用ジャッキ」と「偶数番木材用ジャッキ」と表現している。通常、それぞれのジャッキは複数個必要なので、以降の説明ではしばしば、「Ｘ方向用ジャッキ群」ならびに「Ｙ方向用ジャッキ群」と称することがある。
【００１２】
二つのジャッキ群は、それぞれの群ごとに独立して上昇、下降を制御できると良い。すなわち、Ｘ方向用ジャッキ群は同時に上昇、下降を行い、Ｙ方向用ジャッキ群は、同様に同時に上昇、下降を行えるようにしておくと便利である。無論、それぞれのジャッキが単独で制御できることを妨げるものではない。
【００１３】
なお、本発明とは無関係であるが、後の工程で必要となるアンカーボルトあるいは通しボルトを通す穴を基礎に設けておくと良い。基礎を完成させた後、アンカーボルト３を基礎の穴を通して地中に埋設しておくと後の工程に便利である。アンカーボルトの数は通常複数であるが、説明の簡略化のため、図５では一本のみを示す。なお、図５では地中のアンカーボルトを図示した都合上、他の図では省略されている基礎１の地中部分をも破線にて図示してある。
【００１４】
さて、こうして基礎を構成しジャッキを設置した上に、なんらかの方法によって、屋根部分６を建築する。また、他の場所で建築した屋根部分を移動させ、クレーン等で基礎の上に載せても良い。このとき、Ｘ方向用とＹ方向用のジャッキ群は共に下降させておくのがよい。屋根部分は、その下部の複数箇所に上向きの応力を加えることにより全体が持ち上がるような構成と、容易に破壊しない程度の強度を持つ必要がある。この屋根の建築方法については本発明とは無関係の部分であり、その手段、方法を問うものではない。こうして基礎の上に屋根部分のみを建築した様子を図６に示す。
【００１５】
屋根部分が完成した状態で、Ｙ方向用ジャッキ群を上昇させる。こうすると、屋根部分が持ち上げられ、Ｘ方向の基礎との間に隙間が生じる。この隙間を利用し、Ｘ方向木材７を基礎の上に載せる。こうして最初のＸ方向木材を置いた状態を図７に示す。
【００１６】
その上でＹ方向用ジャッキ群を下降させる。すると、屋根部分はＸ方向木材の上に載る形になる。次に、今度はＸ方向用ジャッキ群だけを上昇させる。今度は屋根とＸ方向木材が同時に持ち上げられ、Ｙ方向の基礎との間に隙間が生じる。この隙間にＹ方向木材８を入れ、基礎の上に置く。この状態を図８に示す。
【００１７】
続いてＸ方向用ジャッキ群を下げると、屋根とＸ方向木材がＹ方向木材に重なる。この後、再びＹ方向用ジャッキ群を上昇させ、前回と同じく、できた隙間にＸ方向木材を挿入する。以後同様の操作を必要回繰り返し、壁面を構成する。こうして全部積み重ねた様子を図９に示す。なお、図９では不要となったジャッキを取り除いている。
【００１８】
以後、地中に埋設しておいたアンカーボルトや通しボルトを下から木材に貫通させ、ナット等により複数の木材と基礎とを締結する。木材にはあらかじめ、アンカーボルトや通しボルト用の穴を開けておくと良い。その後、残った工事を執り行う。
【実施例】
【００１９】
図４から図９は、本発明による建築法の通常の工程を示す実施例である。なお、ログハウスでは、長尺の木材が入手できない場合、あるいは壁面が極端に長い場合、長さ方向に二分割した木材を使用することは極めて一般的である。本発明による建築法では、このような場合には少しばかり工夫が必要になる。なぜなら、例えば、Ｙ方向木材を二分割しているような場合、Ｘ方向木材のみをジャッキによって上昇させた場合、Ｙ方向木材が分割部分から分離して落下してしまうおそれがあるからである。
【００２０】
それを防ぐための工法の実施例を図１０から図１３に示す。これらはいずれもＹ方向木材の正面方向から見た部分正面図である。これらの図では、Ｙ方向木材が長さ方向に二分割された例を示している。また、図の簡略化のため、屋根部分は省略してある。
【００２１】
このような場合には、Ｙ方向用木材に図１０の指示円Ａで示すように分割面に段差を設けておくと良い。こうした上で、まず図１０のように、Ｙ方向木材の左半分８ａとＸ方向木材７とをジャッキによって持ち上げる。こうすると、木材の段差のため、実際にはジャッキがあたっていないＹ方向木材の右半分８ｂも持ち上げられる。この状態で、新たなＹ方向木材の右半分を基礎に載せる。図１１は、その時の状態を示したものである。
【００２２】
その後、Ｙ方向用ジャッキの左半分５ａを下げ、右半分５ｂを上げ、左半分のＹ方向木材を挿入する。その様子を図１２に示す。但しこの時、全体を水平に保つために、Ｙ方向ジャッキの右半分５ｂは途中までしか上げないようにする。
【００２３】
その後は、すべてのＹ方向用ジャッキを上げ、かつＸ方向用ジャッキ４を降ろした状態で、Ｘ方向木材７を挿入する。図１３はその様子を示したものである。
【００２４】
このように、木材を分割した場合でも、いくぶん複雑にはなるものの、本発明の基本的な工法を変えることなく実施できる。
【００２５】
なお、本発明では基礎１に複数の凹部を設けているが、これはあくまでも木材の載る位置に比較して低くなればよいのであって、例えば、基礎そのものには凹部を設けず、基礎の上に木材を支持しうる付加物９を設置し、基礎が相対的に低くなるようしても良い。すなわち、付加物９も基礎の一部と見なすことによって相対的に凹部２を構成することもできる。図１４は、そのような実施例を示すものである。
【００２６】
【発明の効果】
本発明は上記のような工程によってログハウスの建築を実現するものであるから、ほとんど高所作業を必要としない。したがって、従来の工法では必要であった足場組みなどの作業を省略することができる。これにより、工期の短縮並びに安全性の確保を実現できる。
【００２７】
尚、本発明による工法では、既建築部分の加重がすべて最下部の木材にかかるため、上下に接する木材同士が互いに程良く密着、嵌合するという副次的な効果をも有する。したがって、従来の工法であれば、木材を一段積み上げるごとにハンマーなどによって密着、嵌合させる作業が必要であったが、それを省略することができる。
【図面の簡単な説明】
【図１】一般的なログハウスの木組みを説明する斜視図である。
【図２】外形が四角形を呈するログハウスの平面略断面図である。
【図３】外形が六角形を呈するログハウスの平面略断面図である。
【図４】基礎部分の斜視図である。
【図５】ジャッキを設置した状態を示す基礎部分の斜視図である。
【図６】基礎の上に屋根部分を建築した段階を示す斜視図である。
【図７】屋根部分を上昇させ、Ｘ方向木材を挿入した様子を示す斜視図である。
【図８】屋根部分並びに最初のＸ方向木材をジャッキによって上昇させ、Ｙ方向木材を挿入した様子を示す斜視図である。
【図９】すべての木材を積み終わり、ジャッキを除去した様子を示す斜視図である。
【図１０】長さ方向に木材を分割した場合の実施例において、Ｙ方向木材の左半分とＸ方向木材とをジャッキによって持ち上げた状態を示す正面図である。
【図１１】長さ方向に木材を分割した場合の実施例において、図１０の状態に右半分のＹ方向木材を挿入した様子を示す正面図である。
【図１２】長さ方向に木材を分割した場合の実施例において、Ｙ方向木材の左半分を挿入した様子を示す正面図である。
【図１３】長さ方向に木材を分割した場合の実施例において、分割したＹ方向木材をすべて持ち上げ、次のＸ方向木材を挿入した様子を示す正面図である。
【図１４】基礎部分に直接凹部を設けず、付加物を基礎の上に設けることによって相対的に凹部を構成した実施例を示す斜視図である。
【符号の説明】
１、基礎
２、凹部
３、アンカーボルト
４、Ｘ方向用ジャッキ
５、Ｙ方向用ジャッキ
５ａ、左半分のＹ方向用ジャッキ
５ｂ、右半分のＹ方向用ジャッキ
６、屋根部分
７、Ｘ方向木材
８、Ｙ方向木材
８ａ、長さ方向に分割した場合の左半分のＹ方向木材
８ｂ、長さ方向に分割した場合の右半分のＹ方向木材
９、基礎の付加物
【図１】
0003595958.tif 000002
【図２】
0003595958.tif 000003
【図３】
0003595958.tif 000004
【図４】
0003595958.tif 000005
【図５】
0003595958.tif 000006
【図６】
0003595958.tif 000007
【図７】
0003595958.tif 000008
【図８】
0003595958.tif 000009
【図９】
0003595958.tif 000010
【図１０】
0003595958.tif 000011
【図１１】
0003595958.tif 000012
【図１２】
0003595958.tif 000013
【図１３】
0003595958.tif 000014
【図１４】
0003595958.tif 000015